(57)【要約】【課題】簡易な処理によって、人物が存在する位置に応じたデータを伝送する技術を提供する。【解決手段】受信部７０は、第１の無線通信方式によって報知された識別情報を受信する。処理部７２は、受信部７０において受信した識別情報に関連づけられたアプリケーションプログラムを実行する。処理部７２において実行したアプリケーションプログラムは、受信部７０において受信した識別情報の送信を通信部７６に指示する。通信部７６は、処理部７２において実行したアプリケーションプログラムの指示にしたがって、第１の無線通信方式とは異なった第２の無線通信方式で識別情報を送信する。【選択図】図４
2016171483.tif 000002
【特許請求の範囲】
【請求項１】
第１の無線通信方式によって報知された識別情報を受信する受信部と、
前記受信部において受信した前記識別情報に関連づけられたアプリケーションプログラムを実行する処理部と、
前記処理部において実行した前記アプリケーションプログラムによって、前記第１の無線通信方式とは異なった第２の無線通信方式で前記識別情報を送信する送信部と、
を備えることを特徴とする無線端末装置。
【請求項２】
第１の無線通信方式によって報知された識別情報を受信した無線端末装置において、前記識別情報に関連づけられたアプリケーションプログラムが実行され、前記アプリケーションプログラムによって、前記第１の無線通信方式とは異なった第２の無線通信方式で送信された前記識別情報を受信する受信部と、
前記受信部において受信した前記識別情報に応じたデータを前記第２の無線通信方式により前記無線端末装置に送信する送信部と、
を備えることを特徴とするサーバ装置。
【請求項３】
第１の無線通信方式で識別情報を報知する報知装置と、
（１）前記報知装置から報知された識別情報を受信し、（２）前記識別情報に関連づけられたアプリケーションプログラムを実行し、（３）前記アプリケーションプログラムによって、前記第１の無線通信方式とは異なった第２の無線通信方式で前記識別情報を送信する無線端末装置と、
前記無線端末装置から送信された前記識別情報を受信するサーバ装置とを備え、
前記サーバ装置は、受信した前記識別情報に応じたデータを前記第２の無線通信方式で前記無線端末装置に送信することを特徴とする通信システム。
【発明の詳細な説明】
【技術分野】
【０００１】
本発明は、通信システムに関し、特に複数の無線通信方式を使用する無線端末装置、サーバ装置、通信システムに関する。
【背景技術】
【０００２】
集合住宅におけるセキュリティシステムにおいて、共用部分で来訪者の行動範囲や行動パターンを監視し制御するために、ロビーに設置されたカメラが来訪者の顔を撮影して、顔の特長や目の虹彩などの人物固有の識別可能な情報が取得される。また、共用部分は複数のゾーンに分割されており、ゾーンごとにもカメラが設置される。各カメラによって取得された情報をもとに、来訪者がゾーンのどこに居るかが判定されるとともに、進入を許可するゾーンの施錠や機器の制御がなされる（例えば、特許文献１参照）。
【先行技術文献】
【特許文献】
【０００３】
【特許文献１】特開２００４−２４０８３９号公報
【発明の概要】
【発明が解決しようとする課題】
【０００４】
カメラで撮影した画像をもとに、人物を判定する場合、ＣＰＵ（Ｃｅｎｔｒａｌ  Ｐｒｏｃｅｓｓｉｎｇ  Ｕｎｉｔ）、ディスク容量、メモリ容量等のリソース消費が大きくなってしまう。また、カメラに人物が写っていない場合は、特徴が捉えられず誤判定がなされてしまう。一方、セキュリティシステムとは別に、集合住宅内の人物の位置が特定されれば、当該人物に適したデータの提供が可能になる。
【０００５】
本発明はこうした状況に鑑みなされたものであり、その目的は、簡易な処理によって、人物が存在する位置に応じたデータを伝送する技術を提供することにある。
【課題を解決するための手段】
【０００６】
上記課題を解決するために、本発明のある態様の無線端末装置は、第１の無線通信方式によって報知された識別情報を受信する受信部と、受信部において受信した識別情報に関連づけられたアプリケーションプログラムを実行する処理部と、処理部において実行したアプリケーションプログラムによって、第１の無線通信方式とは異なった第２の無線通信方式で識別情報を送信する送信部と、を備える。
【０００７】
本発明の別の態様は、サーバ装置である。この装置は、第１の無線通信方式によって報知された識別情報を受信した無線端末装置において、識別情報に関連づけられたアプリケーションプログラムが実行され、アプリケーションプログラムによって、第１の無線通信方式とは異なった第２の無線通信方式で送信された識別情報を受信する受信部と、受信部において受信した識別情報に応じたデータを第２の無線通信方式により無線端末装置に送信する送信部と、を備える。
【０００８】
本発明のさらに別の態様は、通信システムである。この通信システムは、第１の無線通信方式で識別情報を報知する報知装置と、（１）報知装置から報知された識別情報を受信し、（２）識別情報に関連づけられたアプリケーションプログラムを実行し、（３）アプリケーションプログラムによって、第１の無線通信方式とは異なった第２の無線通信方式で識別情報を送信する無線端末装置と、無線端末装置から送信された識別情報を受信するサーバ装置とを備える。サーバ装置は、受信した識別情報に応じたデータを第２の無線通信方式で無線端末装置に送信する。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、簡易な処理によって、人物が存在する位置に応じたデータを伝送できる。
【図面の簡単な説明】
【００１１】
【図１】本発明の実施例に係る制御システムの構成を示す図である。
【図２】図１の報知装置の構成を示す図である。
【図３】図３（ａ）−（ｂ）は、図２の報知装置から報知されるパケット信号のフォーマットを示す図である。
【図４】図１の無線端末装置の構成を示す図である。
【図５】図５（ａ）−（ｂ）は、図４のＩＦ部に表示される画像を示す図である。
【図６】図１のサーバ装置の構成を示す図である。
【図７】図６の記憶部に記憶されたデータベースのデータ構造を示す図である。
【図８】図１の通信システムによる通信手順を示すシーケンス図である。
【図９】図４の無線端末装置による通信手順を示すフローチャートである。
【図１０】図６のサーバ装置による通信手順を示すフローチャートである。
【発明を実施するための形態】
【００１２】
本発明を具体的に説明する前に、概要を述べる。本発明の実施例は、マンション等の集合住宅に設置されるインターホンシステムに関するが、インターホン以外の用途にも使用されるので、これを制御システムと呼ぶ。制御システムは、集合住宅内における人物の位置を特定し、特定した位置および人物に応じたサービスを提供する。これまで、集合住宅内における人物の位置の特定は、カメラで撮影した画像を解析することによってなされていた。前述のごとく、画像の解析よりも、簡易に、かつ正確に位置を特定することが要求される。
【００１３】
これに対応するために、本実施例に係る制御システムでは、Ｂｌｕｅｔｏｏｔｈ（登録商標）などの近距離無線通信技術を使用した報知装置を集合住宅内のさまざまな場所に設置する。さまざまな場所は、ロビー、廊下等の共用部分だけではなく、各居室も含む。各報知装置は、互いに異なった識別情報を保持しており、識別情報を定期的に報知する。集合住宅内を移動している人物は、無線端末装置を所持する。無線端末装置は、近距離無線通信技術に対応するとともに、携帯電話システムにも対応しており、当該無線端末装置を識別するためのＩＤ（以下、「ユーザＩＤ」という）を保持する。人物が報知装置の近傍を移動すると、当該報知装置から報知された識別情報は、無線端末装置に受信される。無線端末装置は、携帯電話システムを使用して、識別情報とユーザＩＤとの組合せをサーバ装置に送信する。識別情報によって報知装置が特定され、かつユーザＩＤによって無線端末装置が特定されるので、これらによって、どの人物がどの位置に存在するか特定される。
【００１４】
さらに、特定した位置および人物に応じたサービスを提供するために、サーバ装置は、識別情報とユーザＩＤとの組合せに対応したコンテンツデータを予め記憶する。サーバ装置は、組合せを受信すると、これに対応したコンテンツデータを取得し、当該コンテンツデータを携帯電話システム経由で無線端末装置に送信する。無線端末装置は、受信したコンテンツデータを再生する。
【００１５】
図１は、本発明の実施例に係る制御システム１００の構成を示す。制御システム１００は、報知装置１０と総称される第１報知装置１０ａ、第２報知装置１０ｂ、第３報知装置１０ｃ、第４報知装置１０ｄ、第５報知装置１０ｅ、第６報知装置１０ｆ、第７報知装置１０ｇ、無線端末装置１２、基地局装置１４、ネットワーク１６、サーバ装置１８、制御装置２０、ＧＷ２２、ロビーインターホン２４、照明制御装置２６、宅配ボックス２８、共用部カメラ３０、エレベータＩＦ３２、居室親機３４、居室子機３６、エアーコンディショナ３８、第１無線通信方式４０、第２無線通信方式４２、共用部幹線４４、占有幹線４６を含む。また、報知装置１０、無線端末装置１２、基地局装置１４、ネットワーク１６、サーバ装置１８、制御装置２０、ＧＷ２２、第１無線通信方式４０、第２無線通信方式４２は、通信システム４８に含まれる。図１では、通信システム４８には、第１報知装置１０ａだけが示されているのが、他の報知装置１０も含まれる。居室親機３４、居室子機３６、エアーコンディショナ３８、第７報知装置１０ｇは、居室５０に設置される。
【００１６】
制御システム１００は、例えば、集合住宅内に設置される。ここでは、制御システム１００のうち、従来のインターホンシステムに対応した部分をまず説明する。ロビーインターホン２４は、ロビーに設置されたインターホンである。ロビーインターホン２４に備えられたボタンは、来訪者が集合住宅内に入る際に押される。ロビーインターホン２４は、共用部幹線４４を介して制御装置２０に接続され、制御装置２０は、占有幹線４６を介して居室親機３４に接続される。制御装置２０は、機械室や管理人室などの共用スペースに設置され、ロビーインターホン２４と居室親機３４との間の信号を中継する。共用部幹線４４、占有幹線４６は、ロビーインターホン２４からの呼出信号、居室親機３４からの応答信号等を伝送するための伝送路である。共用部幹線４４、占有幹線４６には、ロビーインターホン２４において撮影された来訪者の画像データ、ロビーインターホン２４と居室親機３４から出力される来訪者の音声データ、居住者の音声データも伝送する。
【００１７】
居室親機３４は、居室５０内に設置されており、住戸機とも呼ばれる。また、居室親機３４には、居室５０の玄関に設置された居室子機３６が接続される。居室子機３６は、ドアインターホンとも呼ばれる。なお、図１では、説明を単純化するため１つの居室５０に設置された１台の居室親機３４と居室子機３６だけを示す。しかしながら、集合住宅内には、多数の居室５０が存在し、各居室５０にも居室親機３４と居室子機３６が設置される。複数の居室親機３４のそれぞれは、占有幹線４６経由で制御装置２０に接続される。そのため、制御装置２０は、ロビーインターホン２４と複数の居室親機３４との間を中継する。このような構成において、来訪者は、ロビーインターホン２４に対して部屋番号を入力して、訪問先の居室親機３４を発呼させる。
【００１８】
このような構成に加えて、共用部幹線４４には、照明制御装置２６、宅配ボックス２８、共用部カメラ３０、エレベータＩＦ３２が接続され、占有幹線４６には、エアーコンディショナ３８が接続される。照明制御装置２６は、共用部分に設置された照明を点灯したり、消灯したりする。宅配ボックス２８は、鍵を備えており、施錠あるいは解錠が可能である。共用部カメラ３０は、共用部分の画像を撮影する。なお、共用部分にはロビーも含まれるが、ここでは、図を簡易にするために、ロビーインターホン２４にカメラ機能が含まれているとする。そのため、共用部カメラ３０は、ロビー以外の共用部分に設置される。エレベータＩＦ３２は、エレベータの動作を制御する。エアーコンディショナ３８では、動作、停止、温度調整が可能である。これらも制御装置２０に接続されており、制御装置２０は、共用部幹線４４、占有幹線４６を介してこれらの動作を制御可能である。
【００１９】
報知装置１０は、集合住宅内に複数設置される。図１において、報知装置１０の数は「７」であるが、これに限定されない。具体的に説明すると、各報知装置１０は、共用部幹線４４あるいは占有幹線４６に接続され、共用部分の複数のゾーン区分ごとまたは居室５０の各部屋の設置される。ここで、ゾーン区分とは、例えば、ロビー、各階のエレベータ前、各廊下等である。報知装置１０は、第１無線通信方式４０に対応しており、識別情報であるＵＵＩＤを定期的に報知する。第１無線通信方式４０の一例は、Ｂｌｕｅｔｏｏｔｈ  Ｌｏｗ  Ｅｎｅｒｇｙであるが、これに限定されずに他の近距離無線通信技術であってもよい。
【００２０】
ＵＵＩＤは、報知装置１０を識別するためのユニークなＩＤであり、１２８ビット＝１６オクテットによって構成される。例えば、ＵＵＩＤは、例えば、次のように示される。
ｘｘｘｘｘｘｘｘ（要素１）−ｘｘ（要素２）−ｘ（要素３）−ｘ（要素４）−ｘ（要素５）−ｘｘ（要素６）−ｘ（要素７）
ここで、（要素１）は、８オクテットを有したサービス種別を示す。サービス種別は、例えば、５０４１４Ｅ４１などのように固定値である。（要素２）は、２オクテットを有した物件ＩＤを示す。（要素３）は、１オクテットを有した棟番号を示す。（要素４）は、１オクテットを有したフロア番号である。（要素５）は、１オクテットを有した機器種別である。例えば、単独「０」、親機内蔵「１」、ロビー内蔵「２」のように設定される。（要素６）は、２オクテットを有した機器ＩＤである。例えば、部屋番号とされる。（要素７）は、１オクテットを有した装置番号であり、装置番号とは、機器に接続された装置のＩＤである。このように、ＵＵＩＤは、棟番号、フロア番号、機器ＩＤなどから生成されており、１０１号室の場合は、「５０４１４Ｅ４１−３−１−１−１−６５−１」のように示される。
【００２１】
以下では、ＵＵＩＤの生成を含め、報知装置１０の構成を先に説明する。図２は、報知装置１０の構成を示す。報知装置１０は、受付部６０、設定部６２、ネットワークＩＦ６４、処理部６６、報知部６８を含む。
【００２２】
受付部６０は、管理人等からの入力を受けつける。具体的には、受付部６０は、ＬＣＤ（Ｌｉｑｕｉｄ  Ｃｒｙｓｔａｌ  Ｄｉｓｐｌａｙ）などの設定画面への入力またはディップスイッチなどでの設定を受けつける。受付内容は、前述のＵＵＩＤを構成する情報のうち、（要素４）フロア番号、（要素５）機器種別、（要素６）機器ＩＤ、（要素７）装置番号である。設定部６２は、受付部６０から（要素４）フロア番号、（要素５）機器種別、（要素６）機器ＩＤ、（要素７）装置番号の情報を受けつけ、これらを設定する。ネットワークＩＦ６４は、図示しない共用部幹線４４あるいは占有幹線４６に接続されており、これを介して制御装置２０に接続される。ネットワークＩＦ６４は、設定部６２において設定された情報を制御装置２０に送信する。
【００２３】
図１の制御装置２０には、前述のＵＵＩＤを構成する情報のうち、（要素１）サービス種別、（要素２）物件ＩＤ、（要素３）棟番号が設定されている。制御装置２０は、各報知装置１０から、（要素４）フロア番号から（要素７）装置番号の情報を受けつけ、これらと、（要素１）サービス種別から（要素３）棟番号を合成することによって、報知装置１０ごとに異なったＵＵＩＤを生成する。制御装置２０は、生成したＵＵＩＤを報知装置１０に送信する。また、制御装置２０は、このようなＵＵＩＤを複数の報知装置１０に対して生成し、それらを収集することによって、ＵＵＩＤリストを生成する。なお、制御装置２０は、報知装置１０が増設されたり、移設されたりした場合に、ＵＵＩＤおよびＵＵＩＤリストを更新する。制御装置２０は、ＧＷ２２、ネットワーク１６を介してサーバ装置１８にＵＵＩＤリストを送信する。サーバ装置１８は、全件に対するＵＵＩＤリストを保持する。図２に戻る。
【００２４】
処理部６６は、ネットワークＩＦ６４を介して、制御装置２０からのＵＵＩＤを受けつける。処理部６６は、ＵＵＩＤを保持する。つまり、ＵＵＩＤは、報知装置１０において設定された情報と、制御装置２０において設定された情報とを合成することによって生成されている。報知部６８は、例えば、Ｂｌｕｅｔｏｏｔｈ  Ｌｏｗ  Ｅｎｅｒｇｙの通信機能を備え、Ａｄｖｅｒｔｉｓｉｎｇフレームを定期的に報知する。Ａｄｖｅｒｔｉｓｉｎｇは、本報知装置１０の存在を周囲に一定時間ごとに通知するためのものである。後述の無線端末装置１２は、報知装置１０とのペアリングがなされていなくても、報知装置１０からのＡｄｖｅｒｔｉｓｉｎｇフレームを受信可能である。
【００２５】
図３（ａ）−（ｂ）は、報知装置１０から報知されるパケット信号のフォーマットを示す。図３（ａ）におけるＡｄｖｅｒｔｉｓｉｎｇフレームには、１６ビットのヘッダと、ペイロードが含まれる。ペイロードの構成は、図３（ｂ）に示されており、６オクテットのＡｄｖＡと、０−３１オクテットのＡｄｖデータによって構成される。Ａｄｖデータには、１２８ビットのＵＵＩＤが含まれる。後述の無線端末装置１２が、Ａｄｖｅｒｔｉｓｉｎｇフレーム中のＵＵＩＤを取得すると、無線端末装置１２にインストールされたアプリケーションプログラムが、このＵＵＩＤに応じた動作を実行する。無線端末装置１２では、報知装置１０によって形成されるエリアへの入出検知や距離計測が可能になる。図１に戻る。
【００２６】
無線端末装置１２は、集合住宅を移動している人物によって携帯される。無線端末装置１２は、スマートフォン、携帯電話端末装置のような、アプリケーションプログラムを実行可能な通信装置である。無線端末装置１２は、第１無線通信方式４０に対応するとともに、第２無線通信方式４２にも対応する。第２無線通信方式４２は、携帯電話システム、無線ＭＡＮ（Ｍｅｔｒｏｐｏｌｉｔａｎ  Ａｒｅａ  Ｎｅｔｗｏｒｋ）、無線ＬＡＮ（Ｌｏｃａｌ  Ａｒｅａ  Ｎｅｔｗｏｒｋ）等であり、第１無線通信方式４０よりも伝送距離が長い。無線端末装置１２は、第２無線通信方式４２によって基地局装置１４に接続される。このような構成によって、無線端末装置１２は、報知装置１０の近傍に位置する場合に、当該報知装置１０から報知されたＡｄｖｅｒｔｉｓｉｎｇフレームを第１無線通信方式４０で受信し、ＵＵＩＤを取得する。無線端末装置１２は、ＵＵＩＤとユーザＩＤとの組合せを第２無線通信方式４２でサーバ装置１８に送信する。無線端末装置１２におけるＵＵＩＤとユーザＩＤとの組合せを送信する動作については、後述する。
【００２７】
基地局装置１４は、ネットワーク１６に接続されており、ネットワーク１６を介して、サーバ装置１８、ＧＷ２２に接続される。ネットワーク１６は、インターネット等であり、ＧＷ２２は、ネットワーク１６と制御装置２０との間に配置されるネットワークノードである。無線端末装置１２から送信されたＵＵＩＤとユーザＩＤとの組合せは、基地局装置１４、ネットワーク１６を介してサーバ装置１８に受信される。前述のごとく、ユーザＩＤは、無線端末装置１２ごとに異なっており、ＵＵＩＤは、報知装置１０ごとに異なっている。また、ＵＵＩＤは、ＵＵＩＤリストとして、サーバ装置１８に予め管理されている。そのため、サーバ装置１８は、ＵＵＩＤとユーザＩＤとの組合せによって、無線端末装置１２を所持した人物が、報知装置１０が設置された位置の近傍に存在することを認識可能である。
【００２８】
サーバ装置１８は、受信したＵＵＩＤとユーザＩＤとの組合せに応じたコンテンツデータを取得する。サーバ装置１８は、ネットワーク１６、基地局装置１４、第２無線通信方式４２経由で無線端末装置１２にコンテンツデータを送信する。無線端末装置１２は、コンテンツデータを受信すると、コンテンツデータを再生する。これらの処理の詳細は、後述する。
【００２９】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００３０】
図４は、無線端末装置１２の構成を示す。無線端末装置１２は、受信部７０、処理部７２、記憶部７４、通信部７６、ＩＦ部７８を含む。受信部７０は、第１無線通信方式４０に対応しており、Ａｄｖｅｒｔｉｓｉｎｇフレームを探索する。受信部７０は、図示しない報知装置１０によって報知されたＡｄｖｅｒｔｉｓｉｎｇフレームを受信する。受信部７０は、Ａｄｖｅｒｔｉｓｉｎｇフレームに含まれたＵＵＩＤを取得する。受信部７０は、ＵＵＩＤを処理部７２に出力する。
【００３１】
記憶部７４は、無線端末装置１２において実行可能なアプリケーションプログラムを記憶する。記憶部７４において記憶されるアプリケーションプログラムは複数であってもよい。また、記憶部７４は、予め付与されたユーザＩＤも記憶する。ユーザＩＤは、無線端末装置１２を識別するための情報であり、無線端末装置１２ごとに異なった値である。
【００３２】
処理部７２は、受信部７０からＵＵＩＤを取得すると、ＵＵＩＤから８オクテットのサービス種別を抽出する。なお、ＵＵＩＤ全体がサービス種別を指定する場合、処理部７２は、ＵＵＩＤ全体をサービス種別として取得する。処理部７２は、サービス種別が「５０４１４Ｅ４１」など予め定められた値であるか判別し、予め定められた値であれば、記憶部７４に記憶された専用のアプリケーションプログラムを起動する。また、当該専用のアプリケーションプログラムが既に起動されている場合、処理部７２は、当該専用のアプリケーションプログラムを実行する。ここで、「５０４１４Ｅ４１」は、集合住宅向けのサービスを示す。つまり、処理部７２は、受信部７０において受信したＵＵＩＤに関連づけられた専用のアプリケーションプログラムを実行する。
【００３３】
ＩＦ部７８は、ユーザインターフェイスであり、画像を表示するためのディスプレイ等の表示部、入力を受けつけるためのキーボード等の操作部を含む。ＩＦ部７８は、タッチパネルのように、表示部と操作部とを一体的に備えていてもよい。ＩＦ部７８は、処理部７２において実行されているアプリケーションプログラムによるメッセージを表示する。図５（ａ）−（ｂ）は、ＩＦ部７８に表示される画像を示す。図５（ａ）は、アプリケーションプログラムによるメッセージを示す。メッセージの下側に、確認ボタン９０が配置される。確認ボタン９０が選択されると、ＩＦ部７８は、選択を受けつけたことを処理部７２に通知する。図５（ｂ）は後述し、図４に戻る。
【００３４】
処理部７２において実行されているアプリケーションプログラムは、ＩＦ部７８からの通知を受けつけると、記憶部７４からユーザＩＤを取得する。なお、ユーザＩＤは、ＩＦ部７８に対して入力されてもよい。アプリケーションプログラムは、ＵＵＩＤとユーザＩＤとの組合せの送信を通信部７６に指示する。通信部７６は、第２無線通信方式４２に対応しており、処理部７２において実行したアプリケーションプログラムによって、第２無線通信方式４２で、ＵＵＩＤとユーザＩＤとの組合せを図示しない基地局装置１４に送信する。これらの組合せの最終的な宛先は、サーバ装置１８である。
【００３５】
通信部７６は、組合せの送信後、基地局装置１４を介してサーバ装置１８からのコンテンツデータを受信する。サーバ装置１８からのコンテンツデータの送信については、後述する。通信部７６は、受信したコンテンツデータを処理部７２に出力する。処理部７２において実行されているアプリケーションプログラムは、コンテンツデータを再生し、その結果をＩＦ部７８に表示させる。図５（ｂ）は、再生されたコンテンツデータの画像を示す。ここでは、一例としてお知らせが示されている。
【００３６】
図６は、サーバ装置１８の構成を示す。サーバ装置１８は、ネットワークＩＦ８０、処理部８２、記憶部８４を含む。また、ネットワークＩＦ８０は、受信部８６、送信部８８を含む。受信部８６は、図示しないネットワーク１６に接続されており、基地局装置１４、ネットワーク１６を介して、無線端末装置１２において実行されているアプリケーションプログラムによって、第２無線通信方式４２で送信された組合せを受信する。受信部８６は、受信した組合せを処理部８２に出力する。
【００３７】
記憶部８４は、ＵＵＩＤとユーザＩＤとの組合せとそれに応じた処理との関連が示されたデータベースを記憶する。図７は、記憶部８４に記憶されたデータベースのデータ構造を示す。図示のごとく、ユーザＩＤ欄２００、ＵＵＩＤ欄２０２、処理欄２０４が含まれる。処理欄２０４に含まれた処理欄２０４には、図５（ｂ）に示されたようなメッセージ（以下、「コンテンツデータ」という）が示される。このようなコンテンツデータは、ＵＵＩＤとユーザＩＤとの組合せに関連づけられているといえる。これらのユーザＩＤ、ＵＵＩＤ、コンテンツデータは、管理人によるＰＣ（Ｐｅｒｓｏｎａｌ  Ｃｏｍｐｕｔｅｒ）／タブレット／管理人室親機の使用によって予め登録されている。図６に戻る。
【００３８】
コンテンツデータは、図５（ｂ）に示されたメッセージに限定されない。ここでは、コンテンツデータの例を３つ説明する。１つ目の例は、「掲示板表示、宅配通知」である。居住者は、居室５０に帰る前にロビー付近でお知らせ通知を受信する。お知らせ通知は、管理人室からの「管理室に来てください」などのメッセージや「宅配が届いてます」などのメッセージである。その際、無線端末装置１２は、ロビー付近に設置された第１報知装置１０ａによって報知されたＵＵＩＤを受信している。その結果、居住者は、居室５０に帰る前に要件をすませることができる。
【００３９】
２つ目の例は、ロビー付近で住居人リストを表示させることである。コンテンツデータでは、予め部屋番号とユーザ名を登録している居室５０の住居人リストが示されている。３つ目の例は、会議室／展望室などの共用部分の付近で施設予約表にアクセスすることである。その際、無線端末装置１２は、会議室／展望室などの付近に設置された報知装置１０によって報知されたＵＵＩＤを受信している。コンテンツデータには、施設予約のサイトのアドレスが含まれている。
【００４０】
処理部８２は、受信部８６からの組合せを受けつける。処理部８２は、受けつけた組合せに一致する組合せが、記憶部８４に記憶したデータベースに含まれるかを確認する。一致する組合せがデータベースに含まれる場合、処理部８２は、それに対応したコンテンツデータを取得する。処理部８２は、取得したコンテンツデータの送信を送信部８８に指示する。送信部８８は、処理部８２からの指示に応じて、コンテンツデータを無線端末装置１２に送信する。つまり、送信部８８は、受信部８６において受信したＵＵＩＤに応じたコンテンツデータを、ネットワーク１６、基地局装置１４経由で第２無線通信方式４２により無線端末装置１２に送信する。
【００４１】
以上の構成による通信システム４８の動作を説明する。図８は、通信システム４８による通信手順を示すシーケンス図である。第１報知装置１０ａは、ＵＵＩＤを報知する（Ｓ１０）。無線端末装置１２は、ＵＵＩＤを受信すると、アプリケーションプログラムを起動する（Ｓ１２）。無線端末装置１２は、ＵＵＩＤとユーザＩＤとの組合せを基地局装置１４に送信し（Ｓ１４）、基地局装置１４は、ＵＵＩＤとユーザＩＤとの組合せをサーバ装置１８に送信する（Ｓ１６）。サーバ装置１８は、コンテンツデータを取得する（Ｓ１８）。サーバ装置１８は、コンテンツデータを基地局装置１４に送信し（Ｓ２０）、基地局装置１４は、コンテンツデータを無線端末装置１２に送信する（Ｓ２２）。無線端末装置１２は、コンテンツデータを表示する（Ｓ２４）。
【００４２】
図９は、無線端末装置１２による通信手順を示すフローチャートである。受信部７０がＡｄｖｅｒｔｉｓｉｎｇフレームを受信しなければ（Ｓ５０のＮ）、待機する。受信部７０がＡｄｖｅｒｔｉｓｉｎｇフレームを受信した場合（Ｓ５０のＹ）、処理部７２は、サービス種別を取得する（Ｓ５２）。サービス種別が集合住宅向けを示していた場合（Ｓ５４のＹ）、処理部７２は、アプリケーションプログラムを起動する（Ｓ５６）。ＩＦ部７８は、メッセージを表示する（Ｓ５８）。処理部７２は、ユーザＩＤを取得し（Ｓ６０）、通信部７６は、ＵＵＩＤとユーザＩＤとの組合せを送信する（Ｓ６２）。通信部７６がコンテンツデータを受信すれば（Ｓ６４のＹ）、処理部７２は、ＩＦ部７８にコンテンツデータを表示する（Ｓ６６）。通信部７６がコンテンツデータを受信しなければ（Ｓ６４のＮ）、ステップ６６はスキップされる。サービス種別が集合住宅向けを示していなかった場合（Ｓ５４のＮ）、ステップ５６からステップ６６はスキップされる。
【００４３】
図１０は、サーバ装置１８による通信手順を示すフローチャートである。受信部８６は、ＵＵＩＤとユーザＩＤとの組合せを受信する（Ｓ１００）。処理部８２は、受信した組合せと、記憶部８４に記憶されたデータベースにおける組合せとの一致を確認すれば（Ｓ１０２のＹ）、ＵＵＩＤとユーザＩＤとの組合せに対応したコンテンツデータを取得する（Ｓ１０４）。送信部８８は、コンテンツデータを送信する（Ｓ１０６）。処理部８２が、受信した組合せと、記憶部８４に記憶されたデータベースにおける組合せとの一致を確認しなければ（Ｓ１０２のＮ）、ステップ１０４、ステップ１０６はスキップされる。
【００４４】
本発明の実施例によれば、第１無線通信方式によって報知されたＵＵＩＤを受信し、実行したアプリケーションプログラムによって、第２無線通信方式でＵＵＩＤを送信するので、画像の処理を不要にできる。また、画像の処理が不要になるので、処理を簡易にできる。また、第１無線通信方式として近距離無線通信技術が使用されるので、報知装置１０は、限定的なエリアにＵＵＩＤを報知できる。また、限定的に報知されたＵＵＩＤを使用するので、無線端末装置が存在する位置を特定できる。また、報知装置１０が設置された位置に応じて、ＵＵＩＤが付与されるので、ＵＵＩＤをもとに位置を特定できる。また、無線端末装置ごとにユーザＩＤが付与されるので、ユーザＩＤをもとに、無線端末装置を特定できる。
【００４５】
また、第２無線通信方式で受信したＵＵＩＤに応じたコンテンツデータを取り出し、コンテンツデータを無線端末装置に送信するので、人物が存在する位置に応じたデータを伝送できる。また、ＵＵＩＤとユーザＩＤとの組合せと、コンテンツデータとが関連づけられたデータベースを参照して、コンテンツデータを取得するので、処理を簡易にできる。また、人物が存在する位置に応じたデータを伝送するので、利便性を向上できる。
【００４６】
本発明の一態様の概要は、次の通りである。本発明のある態様の無線端末装置１２は、第１無線通信方式４０によって報知された識別情報を受信する受信部７０と、受信部７０において受信した識別情報に関連づけられたアプリケーションプログラムを実行する処理部７２と、処理部７２において実行したアプリケーションプログラムによって、第１無線通信方式４０とは異なった第２無線通信方式４２で識別情報を送信する通信部７６と、を備える。
【００４７】
本発明の別の態様は、サーバ装置１８である。この装置は、第１無線通信方式４０によって報知された識別情報を受信した無線端末装置１２において、識別情報に関連づけられたアプリケーションプログラムが実行され、アプリケーションプログラムによって、第１無線通信方式４０とは異なった第２無線通信方式４２で送信された識別情報を受信する受信部８６と、受信部８６において受信した識別情報に応じたデータを第２無線通信方式４２により無線端末装置１２に送信する送信部８８と、を備える。
【００４８】
本発明のさらに別の態様は、通信システム４８である。この通信システム４８は、第１無線通信方式４０で識別情報を報知する報知装置１０と、（１）報知装置１０から報知された識別情報を受信し、（２）識別情報に関連づけられたアプリケーションプログラムを実行し、（３）アプリケーションプログラムによって、第１無線通信方式４０とは異なった第２無線通信方式４２で識別情報を送信する無線端末装置１２と、無線端末装置１２から送信された識別情報を受信するサーバ装置１８とを備える。サーバ装置１８は、受信した識別情報に応じたデータを第２無線通信方式４２で無線端末装置１２に送信する。
【００４９】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００５０】
本実施例において、制御システム１００はマンション等の集合住宅に設置されている。しかしながらこれに限らず例えば、制御システム１００は、オフィスや工場等の建物内、あるいは建物外に設置されてもよい。本変形例によれば、本実施例の適用範囲を拡大できる。
【００５１】
本実施例において、ＵＵＩＤには、（要素１）サービス種別から（要素７）装置番号が含まれている。しかしながらこれに限らず例えば、ＵＵＩＤには、（要素２）物件ＩＤから（要素７）装置番号が含まれずに、１６オクテットのサービス種別だけがＵＵＩＤに含まれてもよい。その際、無線端末装置１２は、Ａｄｖｅｒｔｉｓｉｎｇフレームを受信した後に、基地局装置１４、ネットワーク１６を介して、制御装置２０から、（要素２）物件ＩＤから（要素７）装置番号を取得してもよい。本変形例によれば、Ａｄｖｅｒｔｉｓｉｎｇフレームの情報量を低減できる。
【符号の説明】
【００５２】
１０  報知装置、  １２  無線端末装置、  １４  基地局装置、  １６  ネットワーク、  １８  サーバ装置、  ２０  制御装置、  ４０  第１無線通信方式（第１の無線通信方式）、  ４２  第２無線通信方式（第２の無線通信方式）、  ４４  共用部幹線、  ４６  占有幹線、  ４８  通信システム、  ６０  受付部、  ６２  設定部、  ６４  ネットワークＩＦ、  ６６  処理部、  ６８  報知部、  ７０  受信部、  ７２  処理部、  ７４  記憶部、  ７６  通信部（送信部）、  ７８  ＩＦ部、  ８０  ネットワークＩＦ、  ８２  処理部、  ８４  記憶部、  ８６  受信部、  ８８  送信部、  １００  制御システム。
【図１】
2016171483.tif 000003
【図２】
2016171483.tif 000004
【図３】
2016171483.tif 000005
【図４】
2016171483.tif 000006
【図５】
2016171483.tif 000007
【図６】
2016171483.tif 000008
【図７】
2016171483.tif 000009
【図８】
2016171483.tif 000010
【図９】
2016171483.tif 000011
【図１０】
2016171483.tif 000012